(57)【要約】  各種ファスニングテープの止着アセンブリについて記載する。止着テープは、使い捨て物品、特に使い捨ておむつの製造に有用である。止着テープは、概ね、ファスニング構成要素と、延長構成要素と、接合構成要素とを含む。本テープシステムは、延長構成要素の面に沿った新たな折り畳み構成、及び減少した接着剤を提供する。また、テープの止着アセンブリを活用する使い捨て物品についても記載する。
2019511320.tif 000002
【特許請求の範囲】
【請求項１】
折り畳まれた縁を規定するファスニング構成要素と、
おむつ又は基材へ貼り付けるための第１の面と、対向する第２の面とを規定する接合構成要素と、
前記ファスニング構成要素の折り畳まれた縁内で収容される縁を有し、概ね、前記ファスニング構成要素と前記接合構成要素との間に配置される延長構成要素とを含むファスナーテープアセンブリであって、
前記ファスニング構成要素の折り畳まれた縁及び前記延長構成要素の縁は、前記接合構成要素の縁を越えて延びる、ファスナーテープアセンブリ。
【請求項２】
前記延長構成要素は、前記接合構成要素に向かう面を規定し、前記面は、（ｉ）パターン化された接着剤領域及び（ｉｉ）非接着剤領域の少なくとも一つを含む、請求項１に記載のファスナーテープアセンブリ。
【請求項３】
前記接着剤は、前記折り畳まれた縁の領域に提供されることにより、前記ファスニング構成要素が前記延長構成要素と接合するようにする、請求項１項又は２に記載のファスナーテープアセンブリ。
【請求項４】
前記接着剤は、前記折り畳まれた縁内に収容される前記延長構成要素の前記縁の少なくとも一部に沿って提供されることにより、前記ファスニング構成要素が前記延長構成要素と接合するようにする、請求項１〜３のいずれか一項に記載のファスナーテープアセンブリ。
【請求項５】
前記ファスナーテープアセンブリはロール状である、請求項１〜４のいずれか一項に記載のファスナーテープアセンブリ。
【請求項６】
折り畳まれた縁を規定するファスニング構成要素と、
おむつ又は基材へ貼り付けるための第１の面と、対向する第２の面とを規定する接合構成要素と、
前記ファスニング構成要素の折り畳まれた縁内に収容される縁を有し、概ね、前記ファスニング構成要素と前記接合構成要素との間に配置される延長構成要素とを含むファスナーテープアセンブリであって、
前記延長構成要素は、前記接合構成要素に向かう面を規定し、前記面は、（ｉ）パターン化された接着剤領域及び（ｉｉ）非接着剤領域の少なくとも一つを含む、ファスナーテープアセンブリ。
【請求項７】
前記ファスニング構成要素の前記折り畳まれた縁及び前記延長構成要素の前記縁は、前記接合構成要素の縁を越えて延びる、請求項６に記載のファスナーテープアセンブリ。
【請求項８】
前記延長構成要素の前記面は非接着剤領域を含む、請求項６又は７に記載のファスナーテープアセンブリ。
【請求項９】
前記延長構成要素の前記面は前記パターン化された接着剤領域を含む、請求項６〜８のいずれか１項に記載のファスナーテープアセンブリ。
【請求項１０】
前記ファスナーテープアセンブリはロール状である、請求項６〜９のいずれか１項に記載のファスナーテープアセンブリ。
【請求項１１】
第１の縁及び第２の縁を規定するファスニング構成要素と、
おむつ又は基材へ貼り付けるための第１の面と、対向する第２の面とを規定する接合構成要素と、
第１の脚と第２の脚とを有する第１の折り畳まれた縁構成要素と、
前記第１の折り畳まれた縁構成要素の前記第１の脚及び前記第２の脚の間に収容される縁を有し、前記ファスニング構成要素と前記接合構成要素との間に概ね配置される延長構成要素とを含むファスナーテープアセンブリであって、
前記第１の折り畳まれた縁構成要素及び前記延長構成要素の前記縁は、前記接合構成要素の縁を越えて延びる、ファスナーテープアセンブリ。
【請求項１２】
第１の脚と第２の脚とを有する第２の折り畳まれた縁構成要素をさらに含み、
前記接合構成要素の縁は、前記第２の折り畳まれた縁の前記第１の脚及び前記第２の脚の間に収容される、請求項１１に記載のファスナーテープアセンブリ。
【請求項１３】
前記延長構成要素は、前記接合構成要素に向かう面を規定し、前記面は、（ｉ）パターン化された接着剤領域及び（ｉｉ）非接着剤領域の少なくとも一つを含む、請求項１１又は１２に記載のファスナーテープアセンブリ。
【請求項１４】
前記接着剤は、前記折り畳まれた縁の領域に提供されることにより、前記ファスニング構成要素が前記延長構成要素と接合する、請求項１１〜１３のいずれか一項に記載のファスナーテープアセンブリ。
【請求項１５】
前記接着剤は、前記第１の折り畳まれた縁内で収容される前記延長構成要素の前記縁の少なくとも一部に沿って提供されることにより、前記ファスニング構成要素が前記延長構成要素と接合するようにする、請求項１１〜１４のいずれか１項に記載のファスナーテープアセンブリ。
【請求項１６】
前記ファスナーテープアセンブリはロール状である、請求項１１〜１５のいずれか一項に記載のファスナーテープアセンブリ。
【請求項１７】
折り畳まれた縁を規定するファスニング構成要素と、
物品に貼付けられる第１の面と、対向する第２の面とを規定する接合構成要素と、
前記ファスニング構成要素の前記折り畳まれた縁内に収容される縁を有し、概ね、前記ファスニング構成要素と前記接合構成要素との間に配置される延長構成要素とを含むファスナーテープアセンブリを含む前記物品であって、
前記ファスニング構成要素の前記折り畳まれた縁及び前記延長構成要素の前記縁は、前記接合構成要素の縁を越えて延びる物品。
【請求項１８】
前記物品はおむつである、請求項１７に記載の物品。
【請求項１９】
前記おむつはパンツ型おむつである、請求項１８項に記載の物品。
【請求項２０】
折り畳まれた縁を規定するファスニング構成要素と、
物品に貼付けられる第１の面と、対向する第２の面とを規定する接合構成要素と、
前記ファスニング構成要素の前記折り畳まれた縁内に収容される縁を有し、概ね、前記ファスニング構成要素と前記接合構成要素との間に配置される延長構成要素とを含むファスナーテープアセンブリを含む物品であって、
前記延長構成要素は、前記接合構成要素に向かう面を規定し、前記面は、（ｉ）パターン化された接着剤領域及び（ｉｉ）非接着剤領域の少なくとも一つを含む物品。
【請求項２１】
前記物品はおむつである、請求項２０に記載の物品。
【請求項２２】
前記おむつは、パンツ型おむつである、請求項２１に記載の物品。
【請求項２３】
第１の縁及び第２の縁を規定するファスニング構成要素と、
物品へ貼り付けるための第１の面と、対向する第２の面とを規定する接合構成要素と、
第１の脚と第２の脚とを有する第１の折り畳まれた縁構成要素と、
前記第１の折り畳まれた縁構成要素の前記第１の脚及び前記第２の脚の間に収容される縁を有し、前記ファスニング構成要素と前記接合構成要素との間に概ね配置される延長構成要素とを含むファスナーテープアセンブリを含む物品であって、
前記第１の折り畳まれた縁構成要素及び前記延長構成要素の前記縁は、前記接合構成要素の縁を越えて延びる物品。
【請求項２４】
前記ファスナーテープアセンブリは、第１の脚と第２の脚とを有する第２の折り畳まれた縁構成要素をさらに含み、
前記接合構成要素の縁は、前記第２の折り畳まれた縁の前記第１の脚及び前記第２の脚の間に収容される、請求項２３に記載の物品。
【請求項２５】
前記物品はおむつである、請求項２３又は２４に記載の物品。
【請求項２６】
前記物品はパンツ型おむつである、請求項２３に記載の物品。
【発明の詳細な説明】
【技術分野】
【０００１】
（関連出願の相互参照）
本出願は、２０１６年４月１３日に出願した米国仮出願番号第６２／３２１，８２１号による優先権を主張する。
【０００２】
本発明の主題は、止着（Ｃｌｏｓｕｒｅ）テープアセンブリに関する。止着テープは、使い捨て物品、特に使い捨ておむつに有用である。
【背景技術】
【０００３】
トレーニングパンツ又は「パンツ型おむつ」は、トイレトレーニングの際に乳幼児に使われる場合が多い。また、パンツ型おむつは成人の失禁市場にも適用される。パンツ型おむつは、通常、おむつより薄く、おむつとアンダーウェア両方の所定の様態を含むように設計されている。
【０００４】
パンツ型おむつは、再使用する前に洗濯されていなければならない再利用可能な形態、又は１回のみの使い捨て形態で用いられる。使い捨て形態は、取扱い及び廃棄を容易にするために、使用済みおむつを使用後に「ロールアップした」形態に維持するために、通常、使用される接着テープアセンブリを一つ以上含む。
【０００５】
現在、使い捨ておむつに用いられる公知のテープアセンブリは、多くの側面で満足のいくものであるが、多くの場合、廃棄の際にテープアセンブリにおける一つ以上の接着剤領域が露出し、ゴミ箱に又は処分しようとするユーザに意図せず「貼り付く」可能性がある。少なくともかかる理由により、かかる懸念を克服する新たな止着テープアセンブリが必要とされる。
【発明の概要】
【発明が解決しようとする課題】
【０００６】
本発明の主題において、従来のアプローチに関する困難及び問題点を、次のように検討する。
【０００７】
一様態において、本発明の主題は、折り畳まれた（ｆｏｌｄｅｄ）縁を規定するファスニング構成要素を含むファスナーテープアセンブリを提供する。また、前記テープアセンブリは、おむつ又は基材へ貼り付けるための第１の面と、対向する第２の面とを規定する接合構成要素を含む。前記テープアセンブリは、ファスニング構成要素の折り畳まれた縁内に収容される縁を有し、概ね、ファスニング構成要素と接合構成要素の間に配置される延長構成要素をさらに含む。ファスニング構成要素の折り畳まれた縁と延長構成要素の縁は、接合構成要素の縁を越えて延びる。
【０００８】
別の様態において、本発明の主題は、折り畳まれた縁を規定するファスニング構成要素を含むファスナーテープアセンブリを提供する。また、前記テープアセンブリは、おむつ又は基材へ貼り付けるための第１の面と、対向する第２の面とを規定する接合構成要素を含む。また、前記テープアセンブリは、ファスニング構成要素の折り畳まれた縁内に収容される縁を有し、概ね、ファスニング構成要素と接合構成要素の間に配置される延長構成要素を含む。前記延長構成要素は、接合構成要素に向かう面を規定し、前記面は、（ｉ）パターン化された接着剤領域、及び、（ｉｉ）非接着剤領域のうち、少なくとも一つを含む。
【０００９】
また別の様態において、本発明の主題は、遠位縁及び折り畳まれた縁とも称する、第１の縁及び第２の縁を規定するファスニング構成要素を含むファスナーテープアセンブリを提供する。また、ファスナーテープアセンブリは、おむつ又は基材へ貼り付けるための第１の面と、対向する第２の面とを規定する接合構成要素を含む。また、ファスナーテープアセンブリは、第１の脚と第２の脚とを有する第１の折り畳まれた縁構成要素を含む。また、ファスナーテープアセンブリは、第１の折り畳まれた縁構成要素の第１の脚及び第２の脚の間に収容される縁を有する延長構成要素をさらに含む。延長構成要素は、概ね、ファスニング構成要素と接合構成要素との間に配置される。第１の折り畳まれた縁構成要素と前記延長構成要素の縁は、接合構成要素の縁を越えて延びる。
【００１０】
別の様態において、本発明の主題は、ファスナーテープアセンブリを含む物品を提供する。ファスナーテープアセンブリは、折り畳まれた縁を規定するファスニング構成要素を含む。また、ファスナーテープアセンブリは、物品に貼付けられる第１の面と、対向する第２の面とを規定する接合構成要素を含む。ファスナーテープアセンブリは、ファスニング構成要素の折り畳まれた縁内に収容される縁を有し、概ね、ファスニング構成要素と接合構成要素との間に配置される延長構成要素をさらに含む。ファスニング構成要素の折り畳まれた縁及び延長構成要素の縁は、接合構成要素の縁を越えて延びる。
【００１１】
また別の様態において、本発明の主題は、ファスナーテープアセンブリを含む物品を提供する。ファスナーテープアセンブリは、折り畳まれた縁を規定するファスニング構成要素を含む。また、ファスナーテープアセンブリは、物品に貼付けられる第１の面と、対向する第２の面とを規定する接合構成要素を含む。また、ファスナーテープアセンブリは、ファスニング構成要素の折り畳まれた縁内に収容される縁を有し、概ね、ファスニング構成要素と接合構成要素の間に配置される延長構成要素をさらに含む。前記延長構成要素は、接合構成要素に向かう面を規定し、前記面は、（ｉ）パターン化された接着剤領域、及び、（ｉｉ）非接着剤領域のうち少なくとも一つを含む。
【００１２】
また別の様態において、本発明の主題は、ファスナーテープアセンブリを含む物品を提供する。ファスナーテープアセンブリは、遠位縁及び折り畳まれた縁とも称する第１の縁及び第２の縁を規定するファスニング構成要素を含む。また、ファスナーテープアセンブリは、物品に貼り付けるための第１の面と、対向する第２の面とを規定する接合構成要素を含む。ファスナーテープアセンブリは、第１の脚と第２の脚とを有する第１の折り畳まれた縁構成要素をさらに含む。また、ファスナーテープ構成要素は、第１の折り畳まれた縁構成要素の第１の脚及び第２の脚の間に収容される縁を有する延長構成要素を含む。延長構成要素は、概ね、ファスニング構成要素と接合構成要素との間に配置される。第１の折り畳まれた縁構成要素と前記延長構成要素の縁は、接合構成要素の縁を越えて延びる。
【００１３】
理解されるように、本明細書に記載の本発明の主題は、請求している主題の範囲を離れず、別の異なる実施形態を可能とし、それに関する幾つかの詳細な説明は、各種側面で修正することができる。従って、図面と説明は、例示的なものであって、限定的なものではない。
【図面の簡単な説明】
【００１４】
【図１】本発明の主題によるファスナーテープアセンブリの概略図である。
【図２】本発明の主題による別のファスナーテープアセンブリの概略図である。
【図３】本発明の主題による別のファスナーテープアセンブリの概略図である。
【図４】本発明の主題による別のファスナーテープアセンブリの概略図である。
【図５】本発明の主題による別のファスナーテープアセンブリの概略図である。
【図６】本発明の主題によるファスナーテープアセンブリを有する使い捨ておむつの斜視図である。
【図７】おむつが通常の廃棄の形態で固定された場合の図６のおむつの斜視図である。
【図８】本発明の主題による止着テープロールの斜視図である。
【発明を実施するための形態】
【００１５】
本発明の主題のファスナーテープアセンブリ及びシステムは、改良された廃棄性を提供する。一実施形態において、テープアセンブリの開き（ｏｐｅｎｉｎｇ）は、アセンブリが折り畳まれる折り畳み構成及び方式を変更することによって改善される。かかる折り畳みの構成及び方法は、開いた時に、おむつからテープが層間剥離する可能性を著しく低減させ、排除することができる。
【００１６】
別の実施形態において、ファスナーテープアセンブリは、ファスナーテープアセンブリの延長構成要素の領域に沿って接着剤パターン又は非接着剤領域を活用する。かかるパターン化された接着剤領域又は非接着剤領域を用いた結果、ゴミ袋又はゴミ箱などの廃棄物容器に、この構成要素が意図せず接着力によって「貼り付く」可能性が顕著に低減され、場合によっては排除される。
【００１７】
新たな折り畳み構成
本技術分野で公知の所定のファスナーテープシステム、及び特に「Ｚ折り」テープとして知られているものは、テープアセンブリを開いた時に、下にあるおむつ又は他の基材から層間剥離しやすい。これは、主におむつに貼り付けられるか、接着されるか又は接合される接合構成要素に接着しているテープアセンブリの外部ファスニング構成要素に起因する。
【００１８】
本発明の実施形態によると、新たな折り畳み構成が、テープアセンブリのファスニング構成要素と延長構成要素、及びそれらに関する接合構成要素に提供される。図１を参照すると、本発明の主題によるファスナーテープアセンブリの実施形態に対する新たな折り畳み構成を示している。図１に示すファスナーテープアセンブリ１０は、図面符号２０で示されるファスニング構成要素と、図面符号３０で示される延長構成要素と、図面符号４０で示される接合構成要素とを含む。新たな折り畳み構成は、（ｉ）延長構成要素３０に対応する縁３２を収容し、且つ、（ｉｉ）テープアセンブリの接合構成要素４０に対応する縁４２からずれている折り畳まれた縁２２をファスニング構成要素２０内に含む。従って、所定の他の公知のテープアセンブリと比べて、接合構成要素４０の折り畳まれた縁４２は、ファスニング構成要素２０の折り畳まれた縁２２まで延びる必要がないか、又は折り畳まれた縁２２と共存する必要がない。図１を参照すると、かかる特徴は、接合構成要素４０の折り畳まれた縁４２を越えて延びる寸法のずれ（Ｂ）として例示されている。接合構成要素４０の縁４２は、延長構成要素３０及び／又はファスニング構成要素２０に対応する縁（縁３２、折り畳まれた縁２２）のうちの一方又は両方を越えて延びていない点が、テープアセンブリの多くの適応において有利である。これは、テープアセンブリのロールを、例えば、パレット上に積層することは、ロールの品質に影響しないため、より薄い材料が接合構成要素４０に使用できるためである。従来のファスナーテープアセンブリ及びファスニング構成要素及び／又は延長構成要素の（複数の）縁を越えて接合構成要素が延びる形態において、比較的薄い材料が接合構成要素に用いられる場合には、薄い材料が折り重なり、接合不良が生じることになる。
【００１９】
本明細書に記述しているように、多数の実施形態において、比較的薄い材料がファスニング構成要素、延長構成要素及び接合構成要素のうちの一つ以上、又はいずれにも使用できる。通常、ファスニング構成要素は、約３０μｍ〜約１２０μｍ、特に約５０μｍ〜約９０μｍの範囲内の厚さを有する。延長構成要素は、約３０μｍ〜約１２０μｍ、特に約５０μｍ〜約９０μｍの範囲内の厚さを有する。接合構成要素は、約１５μｍ〜約１２０μｍ、特に約２０μｍ〜約５０μｍの範囲内の厚さを有する。ファスナーテープアセンブリの総厚は、通常、約２００μｍ〜約６００μｍの範囲内であり、多数の実施形態においては約２５０μｍ〜約５００μｍの範囲内である。
【００２０】
上述のように、かかる新たな折り畳み構成の使用は、所定の用途におけるテープアセンブリ及びその構成要素に薄い材料を用いることを可能とする。これは、新たな折り畳み構成を組み込んだファスナーテープのロールは、もはや接合構成要素の一部に備えられず、折り畳まれる位置まで延びるからである。代りに、これらのロールは、テープアセンブリのかなり安定した部分に備えられるだろう。
【００２１】
また、かかる新たな折り畳み構成を活用することにより、ファスナーテープアセンブリが開かれる位置に関する寸法確実性を向上させる。
【００２２】
延長構成要素におけるパターン化された接着剤領域、又は非接着剤領域
本発明の主題であるファスナーテープアセンブリのまた別の実施形態は、廃棄性を向上させることに関連する。図１を参照すると、接合構成要素４０に向かうファスナーテープアセンブリ１０の延長構成要素３０の面３８は、パターン化された接着剤領域３５及び／又は接着性のない又は「非接着性」である少なくとも１つの非接着剤領域３３を含むことができる。従って、テープアセンブリ１０が開かれ、おむつに使用される場合、非接着剤領域３３及び／又はパターン化された接着剤領域３５により減少した接着面積を含む延長構成要素３０の面３８は、従来のテープ構造と比べて、おむつを廃棄する際に妨げとならないか、又は妨げることが顕著に少ない。本発明の主題は、多様な実施形態を含み、上述の折り畳み構成は、延長構成要素に関する接着剤の様態と共に、又はかかる様態なく使用できることが理解されるであろう。
【００２３】
付加的様態
本発明の主題は、（ｉ）新たな折り畳み構成、（ｉｉ）延長構成要素上のパターン化された接着剤領域又は非接着剤領域、又は、（ｉ）と（ｉｉ）の両方を含むファスナーテープアセンブリを含むことが理解されるであろう。
【００２４】
図１を参照すると、本発明の主題のファスナーテープシステムの延長構成要素３０に対する接合構成要素４０の付着は、以下に限るものではないが、Ｕ字接合（Ｕ−ｂｏｎｄ）を含む様々な異なる形態か若しくはＵ字接合ストリップを活用でき、又はＵＳ６，６５６，１７１に記載されているようなＹ字接合（Ｙ−ｂｏｎｄ）の形態であり得ることもまた、理解されるであろう。
【００２５】
図１は、本発明の主題であるファスナーテープアセンブリの付加的特徴及び様態、並びに本発明の主題のシステムを示す。さらに、図１に示すファスナーテープアセンブリ１０を参照すると、本発明の主題の多数の実施形態において、図面で「Ａ」として示す「折り重なり」に対する通常の寸法は４〜１０ｍｍの範囲、特に４〜６ｍｍの範囲であって、多くの用途において５ｍｍが有用である。「Ｗ」として示す通常のテープアセンブリの総幅は、約５０〜８０ｍｍであり、所定の用途においては、総幅が約７０．３ｍｍ、約６９ｍｍ、及び約６２ｍｍであることが有用である。新たな折り畳み構成の重要な様態は、接合構成要素がおむつから層間剥離されることを回避できるように、折り重なり寸法（Ａ）と寸法のずれ（Ｂ）の長さの差が十分にあるというものである。多数の実施形態において、この差、即ちＡ−Ｂは少なくとも約２ｍｍであり、所定の用途においては少なくとも３ｍｍである。
【００２６】
本発明の主題のまた別の様態において、ファスニング構成要素２０と延長構成要素３０の間の接合又は貼り付けは、延長構成要素の対応する縁３２が挿入又は配置されるファスニング構成要素２０の折り畳まれた縁２２によって提供される。かかる様態は、折り畳まれた縁の領域が、中間構成要素（本発明の主題であるテープアセンブリの延長構成要素に対応）に備えられ、また上部構成要素（本発明の主題のファスニング構成要素に対応）が、単に上部に位置付けられたり、又は中間構成要素の折り畳まれた縁の領域に沿って位置付けられる従来技術の構成と比較される。即ち、公知の従来技術において、上部構成要素は、中間構成要素の折り畳まれた縁の領域内に挿入されない。
【００２７】
本発明の主題のテープアセンブリのまた別の様態は、延長構成要素の「脚」部の提供に関する。図１を参照すると、延長構成要素３０のこの脚部３６は、接合構成要素４０のＵ字接合又はＹ字接合の縁４１を越えて延びる延長構成要素３０の一部である。しかし、本発明の主題は、この脚部３６のないテープアセンブリも含むことが理解されるであろう。また、本発明の主題は、延長構成要素３０と接合構成要素４０の間に接合を提供するよう、Ｕ字接合構成に折り畳まれる構成要素、例えば、さらなるフィルム、ストリップなどのさらなる構成要素を含むテープアセンブリを含むことが理解されるであろう。さらに、被覆されたテープ構成要素のような一つ以上のさらなる構成要素を用いることができる。
【００２８】
図１に示すファスナーテープアセンブリ１０に関するさらなる詳細な説明は、下記の通りである。ファスニング構成要素２０は、第１の面２８と、第１の面２８に対向する第２の面２９と、を規定する。また、ファスニング構成要素２０は、折り畳まれた縁２２に概ね対向する遠位縁２１を規定する。接着剤領域２４は、ファスニング構成要素２０の第１の面２８の少なくとも一部に沿って延びる。ファスナーテープアセンブリ１０のようなファスナーテープアセンブリの様々な変形例において、フィンガーリフト（ｆｉｎｇｅｒｌｉｆｔ）５０がファスニング構成要素２０の遠位縁２０に隣接して提供される。フィンガーリフト５０は、通常、ユーザにより把持されるタブ５４と、このタブ５４をファスニング構成要素２０と、通常、第１の面２８とに固定するための接着剤領域５２と、を含む。
【００２９】
延長構成要素３０は、面３８に対向する面３９を規定する。また、延長構成要素３０は、縁３２の反対側にある遠位末端３１を規定する。非接着剤領域３３及びパターン化された接着剤領域３５以外に、接着剤領域３７がファスナーテープアセンブリ１０の止着を増進及び／又は維持するために延長配置要素３０の面３８に沿って配置される。
【００３０】
接合構成要素４０は、第１の面４８及び第１の面４８に概ね対向する第２の面４９を規定する。また、接合構成要素４０は、接合構成要素４０の第１の面４８の少なくとも一部に沿って配置された接着剤領域４４を含む。接着剤領域４４は、おむつ又は他の基材にファスナーテープアセンブリ１０を接合又は固定するためのものである。
【００３１】
また、本発明の主題は、図１に示すファスナーテープアセンブリ１０の変形例を提供する。例えば、図２，３，４及び５は、ファスナーテープアセンブリ２１０，３１０，４１０及び５１０のさらなる実施形態をそれぞれ示す。これら図面において、ファスナーテープアセンブリは、図１のファスナーテープアセンブリ１０に関して上述したものと同一、又は同様の構成要素を含むので、かかる構成要素については同様の図面符号を用いている。例えば、各ファスナーテープアセンブリ２１０，３１０，４１０及び５１０は、図１に示すアセンブリ１０のファスニング構成要素２０と同一、又は同様のファスニング構成要素２２０，３２０，４２０及び５２０をそれぞれ含む。しかし、ファスナーテープアセンブリ２１０，３１０，４１０及び５１０は、以下のように、図１のファスナーテープアセンブリ１０と比較して幾つかの変形例を含む。
【００３２】
図２に示すファスナーテープアセンブリ２１０は、補助貼り付け構成要素又は第１の「折り畳まれた縁」２６０を含む。この構成要素は、通常、ファスニング構成要素２２０から分離される。第１の折り畳まれた縁２６０は、延長構成要素２３０の縁２３２が間に配置されている２つの脚２６１及び２６２を含む。具体的に、脚２６１は、ファスニング構成要素２２０の接着剤領域２２４の露出面と延長構成要素２３０の面２３９との間に位置付けられる。脚２６２は、延長構成要素２３０の接着剤領域２３７と接合構成要素２４０の面２４９の間に位置付けられる。折り畳まれた縁２６０は、当技術分野で周知のようにＵ字接合又はＹ字接合の形態であり得る。折り畳まれた縁構成要素２６０を用いることで、ファスナーテープアセンブリ２１０のファスニング構成要素２２０の折り畳まれた縁２２２を回避することができる。
【００３３】
また、図２に示すファスナーテープアセンブリ２１０は、また別の第２の貼り付け構成要素、又は「折り畳まれた縁」２７０を含む。この構成要素は、通常、接合構成要素２４０から分離される。折り畳まれた縁２７０は、接合構成要素２４０の縁２４１が間に配置されている２つの脚２７１及び２７２を含む。折り畳まれた縁２７０は、当技術分野で周知のようにＵ字接合又はＹ字接合の形態であり得る。具体的には、脚２７１は、延長構成要素２３０の面２３８の間に位置付けられる。脚２７２は、接合構成要素２４０の縁２４１に隣接し、部分的に接着剤領域２４４の上に延びるように位置付けられる。折り畳まれた縁２７０を使用することで、ファスナーテープアセンブリ２１０の接合構成要素２４０の折り畳まれた縁２４１を回避することができる。
【００３４】
図３に示すファスナーテープアセンブリ３１０は、第１の折り畳まれた縁の位置を除いて、上述した図２のファスナーテープアセンブリ２１０に対応する。図２のように、延長構成要素の縁に隣接するように第１の折り畳まれた縁を位置付ける代わりに、図３のアセンブリ３１０では折り畳まれた縁３６０として示す第２の折り畳まれた縁が、ファスニング構成要素３２０の縁３２２を収容するように位置付けられる。この実施形態において、折り畳まれた縁３６０の脚３６１は、部分的にファスニング構成要素３２０の面３２９の上に延び、脚３６２は、ファスニング構成要素３２０の面３２９の上に部分的に延び、脚３６２は、ファスニング構成要素３２０の接着剤領域３２４と延長構成要素３３０の面３３９との間に位置付けられる。また、アセンブリ３１０は、図２のアセンブリ２１０で説明された第２の折り畳まれた縁２７０と同一、又は同様の第２の折り畳まれた縁３７０を含む。折り畳まれた縁３６０及び第２の折り畳まれた縁３７０は、当技術分野で周知のようにＵ字接合又はＹ字接合の形態であってもよい。
【００３５】
図４に示すファスナーテープアセンブリ４１０は、図２のファスナーテープアセンブリ２１０で使用された折り畳まれた縁２７０と同様、又は同一の折り畳まれた縁４７０を含む。折り畳まれた縁４７０は、当技術分野で周知のようにＵ字接合又はＹ字接合の形態であり得る。しかし、ファスナーテープアセンブリ４１０は、図２に示す折り畳まれた縁２６０に対応する別途の折り畳まれた縁を有していない。代わりに、ファスナーテープアセンブリ４１０は、以下のような構成を除き、図１のアセンブリ１０のファスニング構成要素４２０と類似するファスニング構成要素４２０の構成を含む。ファスナーテープアセンブリ４１０では、延長構成要素４３０と接合構成要素４４０との間にファスニング構成要素４２０の縁４２２を位置決めする代わりに、図４に示すように、ファスニング構成要素４２０の縁４２２自体が折り畳まれ、延長構成要素４３０の面４３９に接着又は固定される。
【００３６】
図５に示すアセンブリ５１０は、第２の折り畳まれた縁５７０の脚５７２の位置を除いて、図２のファスナーテープアセンブリ２１０と同様である。具体的に、図５に示すように、第２の折り畳まれた縁５７０の脚５７２は、延長構成要素５３０と接合構成要素５４０との間に位置付けられ、具体的に、接合構成要素５４０の面５４９に直接接着されるか貼り付けられる。第２の折り畳まれた縁５７０は、当技術分野で周知のようにＵ字接合又はＹ字接合の形態であり得る。
【００３７】
多様な接着剤を、本発明の主題であるテープアセンブリに使用することができる。通常、かかる接着剤は、ゴム系スチレン−イソプレン−スチレン（ＳＩＳ）又はスチレン−ブタジエン−スチレン（ＳＢＳ）／スチレン−ブタジエン（ＳＢ）、又はこれらの組み合わせである。これらと他の接着剤との共重合体及び／又は誘導体を活用することができる。参照した図は、テープアセンブリ内における通常の接着剤領域を示す。特定の実施形態において、一つ以上の接着剤領域が、ファスニング構成要素の折り畳まれた縁の領域内に、及び／又は延長構成要素に対応する縁に沿って提供されることにより、ファスニング構成要素の折り畳まれた縁内に延長構成要素の該当縁が挿入又は位置付けられる際に、ファスニング構成要素と延長構成要素が共に接合又は貼り付けられるようにする。
【００３８】
上述の接着剤の全ての領域における通常の接着剤の塗布量は、一般に、約２５ｇ／ｍ２（ｇｓｍ）〜約５０ｇ／ｍ２（ｇｓｍ）である。しかし、本発明の主題は、これらの値より少ない、又は多い塗布量を含む。
【００３９】
様々なポリマーフィルム及び材料を、ファスニング構成要素、延長構成要素、及び／又は接合構成要素のいずれか一つ以上に使用することができる。ポリマーフィルムの例としては、ポリプロピレン及び／又はポリエチレンが挙げられるが、これらに限られるわけではない。また、不織布材料及び不織布ラミネートもファスニングテープアセンブリに使用することができる。上述のＹ字接合及びＵ字接合は、適宜構成されたポリプロピレンフィルムと不織布材料の（複数の）層として形成され得る。
【００４０】
本発明の主題であるファスナーテープアセンブリの材料、厚さ、製造及び使用に関するさらなる詳細な説明は、本出願人に譲渡された以下の特許文献、すなわちＵＳ２０１４／００８８５４３、ＵＳ７，２９１，３７１、ＵＳ８，０８０，１９８、ＵＳ２０１３／０１８４６７１、ＵＳ２０１４／００１０９８４、ＵＳ２００９／０００８０２３、及びＵＳ２００４／０１７０７９４の一つ以上に提供される。
【００４１】
物品
また、本発明の主題は、上述のテープアセンブリを含む多様な物品を含む。多数の実施形態において、物品は使い捨てであり、即ち、物品はリサイクルでき、及び／又は比較的安価な材料で形成される。かかる物品の例としては、おむつ、トレーニングパンツ、成人用おむつ、及び特定のパンツ型おむつを挙げることができるが、これらに限られるわけではない。
【００４２】
図６は、本発明の主題による使い捨て物品の一実施形態を示す。図６を参照すると、使い捨て物品１００は、前方領域１２６と、後方領域１２８と、前方領域１２６と後方領域１２８との間の股領域１３０と、を有する。前方領域１２６、後方領域１２８及び股領域１３０には、シャーシ１４１が備えられる。シャーシ１４１は、液体透過性表面シート１２４と、上記表面シート１２４と関連する液体不透明性背面シート１２２と、表面シート１２４と背面シート１２２との間に配置された吸収コア（図示せず）と、を含む。
【００４３】
使い捨て物品１００は、前方領域１２６のシャーシ１４１の対応する側面から側面方向の外側にそれぞれ延びる一対の前方イヤーパネル（ｆｒｏｎｔ  ｅａｒ  ｐａｎｅｌ）１４６と、後方領域１２８のシャーシ１４１の対応する側面から側面方向の外側にそれぞれ延びる一対の延長可能な後方イヤーパネル（ｂａｃｋ  ｅａｒ  ｐａｎｅｌ）１４８とをさらに含む。続いて、イヤーパネル１４６及び１４８の各々は、最外縁線２４２を形成する最外縁２４０を有する。使い捨て物品１００は、２つの脚開口部１３４及び腰開口部１３６を形成するように、対応縁線２４２に沿って、それぞれ、前方及び後方イヤーパネル１４６及び１４８を結合させる縫い目１３２をさらに含む。使い捨て物品１００は、ファスナーテープアセンブリ１０を含む。ファスナーテープアセンブリ１０を示しているが、本発明の主題は、他のテープアセンブリ、例えば、ファスナーテープアセンブリ２１０，３１０，４１０又は５１０も含むことが理解されるであろう。
【００４４】
このように用いられる使い捨て物品、構成要素、及び材料とその製造方法に関するさらなる詳細な説明は、ＵＳ６，６５６，１７１に記載されている。
【００４５】
使い捨て物品１００が汚れた後、汚れた使い捨て物品１００は、縫い目１３２に沿って切取って開き、着用者から汚れた使い捨て物品１００を取り除く。あるいは、該当する場合、汚れた使い捨て物品１００は、縫い目１３２を切取って開かずに、引き下げることで取り除ける。その次に、巻いておいた使い捨て物品１００内に中身が含まれている状態で、図７に示すように、廃棄を容易にするために巻いておいた使い捨て物品１００の外部に沿って、ファスナーアセンブリ１０が露出するように、股部を中央に維持させることにより、使い捨て物品１００は、折り畳むか又はロールアップする。
【００４６】
図８は、本発明の主題によるファスニングテープアセンブリ１０のロールの斜視図である。ファスニングテープアセンブリ１０は、様々な使い捨て物品の製造者によって使用されるために、ロール状で提供することができる。ここでも、ファスニングテープアセンブリ１０としてロールが図示されているが、アセンブリ２１０，３１０，４１０又は５１０は、いずれもロール状で提供できることが理解されるであろう。
【００４７】
他の多くの利点は、本技術の今後の適用及び開発から確実に明らかになるであろう。
本明細書に記載の全ての特許、出願、基準及び文献は、その全体が参照により本明細書に組み込まれる。
【００４８】
本発明の主題は、本明細書に記載の特徴及び様態の全ての実施可能な組み合わせを含む。従って、例えば、一つの特徴が一実施形態に関して記載され、他の特徴が別の実施形態に関して記載されている場合、本発明の主題は、それらの特徴の組み合わせを有する実施形態を含むことが理解されるであろう。
【００４９】
上述のように、本発明の主題は、従来の戦略、システム及び／又は装置に関する多くの問題を解決する。しかし、本発明の主題の特性を説明するために、本明細書で説明し例示した構成要素の詳細、材料、及び配列における各種変更は、添付の請求範囲で表されているように、請求している本発明の主題の原理及び範囲を超えない範囲で当業者により行い得るということが理解されるであろう。
【図１】
2019511320.tif 000003
【図２】
2019511320.tif 000004
【図３】
2019511320.tif 000005
【図４】
2019511320.tif 000006
【図５】
2019511320.tif 000007
【図６】
2019511320.tif 000008
【図７】
2019511320.tif 000009
【図８】
2019511320.tif 000010
【国際調査報告】
2019511320.tif 000011
2019511320.tif 000012
2019511320.tif 000013